(57)【要約】【課題】  この発明は、非常に簡単な操作により、ネットワーク内の全ての画像形成装置を電源キーオフに対応する状態またはメインスイッチオフに対応する状態に移行させることが可能となる画像形成装置を提供することを目的とする。【解決手段】  テンキーによって入力された番号が一括制御用番号と一致すると判別された場合において、一定時間内に電源キーがオフされたときには、電源キーオフコマンドを他の画像形成装置に送信した後、自己の画像形成装置を電源キーオフに対応する状態にさせる手段、テンキーによって入力された番号が一括制御用番号と一致すると判別された場合において、一定時間内にメインスイッチがオフされたときには、メインスイッチオフコマンドを他の画像形成装置に送信した後、自己の画像形成装置メインスイッチオフに対応する状態にさせる手段を備えている。【選択図】  図１
2006345396.tif 000002
【特許請求の範囲】
【請求項１】
複数の画像形成装置がネットワークを介して接続されており、各画像形成装置が他の画像形成装置と通信可能であるシステムに用いられる画像形成装置において、
テンキー、
オフされることにより機械の状態をシャットオフ状態にさせるためのメインスイッチ、  オフされることにより機械の状態をスリープ状態にさせるための電源キー、
所定桁数の一括制御用番号を記憶している記憶手段、
テンキーによって入力された番号が一括制御用番号と一致するか否かを判別する判別手段、
判別手段によってテンキーによって入力された番号が一括制御用番号と一致すると判別された場合において、一定時間内に電源キーがオフされたときには、電源キーオフコマンドを他の画像形成装置に送信した後、自己の画像形成装置を電源キーオフに対応する状態にさせる手段、
判別手段によってテンキーによって入力された番号が一括制御用番号と一致すると判別された場合において、一定時間内にメインスイッチがオフされたときには、メインスイッチオフコマンドを他の画像形成装置に送信した後、自己の画像形成装置メインスイッチオフに対応する状態にさせる手段、
他の画像形成装置からの電源キーオフコマンドを受信したときには、自己の画像形成装置を電源キーオフに対応する状態にさせる手段、ならびに
他の画像形成装置からのメインスイッチオフコマンドを受信したときには、自己の画像形成装置をメインスイッチオフに対応する状態にさせる手段、
を備えていることを特徴とする画像形成装置。
【請求項２】
複数の画像形成装置がネットワークを介して接続されており、各画像形成装置が他の画像形成装置と通信可能であるシステムに用いられる画像形成装置において、
テンキー、
オフされることにより機械の状態を機能に応じてシャットオフ状態またはスリープ状態にさせるためのメインスイッチ、
所定桁数の一括制御用番号を記憶している記憶手段、
テンキーによって入力された番号が一括制御用番号と一致するか否かを判別する判別手段、
判別手段によってテンキーによって入力された番号が一括制御用番号と一致すると判別された場合において、一定時間内にメインスイッチがオフされたときには、メインスイッチオフコマンドを他の画像形成装置に送信した後、自己の画像形成装置メインスイッチオフに対応する状態にさせる手段、ならびに
他の画像形成装置からのメインスイッチオフコマンドを受信したときには、自己の画像形成装置をメインスイッチオフに対応する状態にさせる手段、
を備えていることを特徴とする画像形成装置。
【発明の詳細な説明】
【技術分野】
【０００１】
この発明は、複数の画像形成装置がネットワークを介して接続されており、各画像形成装置が他の画像形成装置と通信可能であるシステムに用いられる画像形成装置に関する。
【背景技術】
【０００２】
（１）  複写機能を少なくとも備えた複合機として、メインスイッチのオフ操作により、機械の状態を機能に応じてシャットオフ状態（全電源ＯＦＦ状態）またはスリープ状態に移行させることが可能となっているものがある。
【０００３】
例えば、ＦＡＸ機能を備えていない複合機では、メインスイッチがオフされると、メイン基板およびエンジン基板への電源がオフとなる。つまり、複合機全体がシャットオフ状態となる。ＦＡＸ機能を備えている複合機では、メインスイッチがオフされると、メイン基板およびエンジン基板への電源がオフとなるがＦＡＸ基板には電源が供給された状態となる。つまり、ＦＡＸ機能についてはスリープ状態となり、それ以外の機能に対してはシャットオフ状態となる。
【０００４】
（２）また、複写機能を少なくとも備えた複合機として、メインスイッチと電源キーとを備え、メインスイッチがオンの状態で電源キーがオフされると、複合機全体がスリープ状態となり、メインスイッチがオフされると複合機全体がシャットオフ状態となるものもある。
【０００５】
複数の複合機がネットワークを介して接続されている環境では、帰宅するなどの理由により、全ての機械をスリープ状態またはシャットオフ状態に移行させたい場合、すべての機器のメインスイッチをオフ（複合機が上記（２）の場合には、すべての機器のメインスイッチおよび電源キーをオフ）にしなければならない。従来は、各複合機毎にメインスイッチをオフ（複合機が上記（２）の場合には、すべての機器のメインスイッチおよび電源キーをオフ）する必要がある。
【０００６】
特開２００４−５６２５８号公報には、ネットワークに接続された複数の画像処理装置を管理する遠隔制御システムが開示されている。特開２００４−５６２５８号公報に記載の遠隔制御システムでは、電源管理画面を開いて各画像処理装置毎に電源をオフさせることができるが、その操作が面倒であるという問題がある。
【特許文献１】特開２００４−５６２５８号公報
【発明の開示】
【発明が解決しようとする課題】
【０００７】
この発明は、複数の画像形成装置がネットワークを介して接続されているシステムにおいて、非常に簡単な操作により、全ての画像形成装置を電源キーオフに対応する状態またはメインスイッチオフに対応する状態に移行させることが可能となる画像形成装置を提供することを目的とする。
【０００８】
この発明は、複数の画像形成装置がネットワークを介して接続されているシステムにおいて、非常に簡単な操作により、全ての画像形成装置をメインスイッチオフに対応する状態に移行させることが可能となる画像形成装置を提供することを目的とする。
【課題を解決するための手段】
【０００９】
請求項１に記載の発明は、複数の画像形成装置がネットワークを介して接続されており、各画像形成装置が他の画像形成装置と通信可能であるシステムに用いられる画像形成装置において、テンキー、オフされることにより機械の状態をシャットオフ状態にさせるためのメインスイッチ、オフされることにより機械の状態をスリープ状態にさせるための電源キー、所定桁数の一括制御用番号を記憶している記憶手段、テンキーによって入力された番号が一括制御用番号と一致するか否かを判別する判別手段、判別手段によってテンキーによって入力された番号が一括制御用番号と一致すると判別された場合において、一定時間内に電源キーがオフされたときには、電源キーオフコマンドを他の画像形成装置に送信した後、自己の画像形成装置を電源キーオフに対応する状態にさせる手段、判別手段によってテンキーによって入力された番号が一括制御用番号と一致すると判別された場合において、一定時間内にメインスイッチがオフされたときには、メインスイッチオフコマンドを他の画像形成装置に送信した後、自己の画像形成装置メインスイッチオフに対応する状態にさせる手段、他の画像形成装置からの電源キーオフコマンドを受信したときには、自己の画像形成装置を電源キーオフに対応する状態にさせる手段、ならびに他の画像形成装置からのメインスイッチオフコマンドを受信したときには、自己の画像形成装置をメインスイッチオフに対応する状態にさせる手段を備えていることを特徴とする。
【００１０】
請求項２に記載の発明は、複数の画像形成装置がネットワークを介して接続されており、各画像形成装置が他の画像形成装置と通信可能であるシステムに用いられる画像形成装置において、テンキー、オフされることにより機械の状態を機能に応じてシャットオフ状態またはスリープ状態にさせるためのメインスイッチ、所定桁数の一括制御用番号を記憶している記憶手段、テンキーによって入力された番号が一括制御用番号と一致するか否かを判別する判別手段、判別手段によってテンキーによって入力された番号が一括制御用番号と一致すると判別された場合において、一定時間内にメインスイッチがオフされたときには、メインスイッチオフコマンドを他の画像形成装置に送信した後、自己の画像形成装置メインスイッチオフに対応する状態にさせる手段、ならびに他の画像形成装置からのメインスイッチオフコマンドを受信したときには、自己の画像形成装置をメインスイッチオフに対応する状態にさせる手段を備えていることを特徴とする。
【発明の効果】
【００１１】
この発明によれば、複数の画像形成装置がネットワークを介して接続されているシステムにおいて、非常に簡単な操作により、全ての画像形成装置を電源キーオフに対応する状態またはメインスイッチオフに対応する状態に移行させることが可能となる。
【００１２】
この発明は、複数の画像形成装置がネットワークを介して接続されているシステムにおいて、非常に簡単な操作により、全ての画像形成装置をメインスイッチオフに対応する状態に移行させることが可能となる。
【発明を実施するための最良の形態】
【００１３】
以下、図面を参照して、この発明の実施例について説明する。
【実施例１】
【００１４】
図１は、社内に設けられた複合機のネットワークシステムを示している。
【００１５】
このネットワークシステムでは、複数の複合機１〜５がネットワーク（ＬＡＮ）１０を介して接続されている。各複合機は、ネットワーク１０を介して他の複合機と通信が可能となっている。
【００１６】
各複合機１〜５の操作部には、図２に示すように、コピー機能、プリンタ機能、スキャナ機能およびファックス機能のうちから、任意の機能を選択するための機能選択スイッチ２１〜２４、タッチパネル付きの液晶表示器（ＬＣＤ）２５、電源キー２６、テンキー２７等が設けられている。図示しないが、複合機本体の側面にはメインスイッチが設けられている。
【００１７】
メインスイッチがオンの状態で電源キーがオフされると、複合機全体がスリープ状態となる。メインスイッチがオフされると複合機全体がシャットオフ状態となる。
【００１８】
各複合機１〜５内の不揮発性メモリには、全ての複合機を一括してスリープ状態または一括してシャットオフ状態にさせるために用いられる８桁の番号（以下、一括制御用番号という）が予め記憶されている。
【００１９】
ユーザは、全ての複合機を一括してスリープ状態にさせたい場合には、任意の１台の複合機に対して一括制御用番号と同じ８桁の番号をテンキーによって入力した後に、電源キーをオフする。そうすると、電源キーがオフされた複合機は、他の全ての複合機に対して電源キーオフコマンドを送信した後、自己の複合機をスリープ状態にさせる。他の複合機は、電源キーオフコマンドを受信すると、自己の複合機をスリープ状態にさせる。
【００２０】
また、ユーザは、全ての複合機を一括してシャットオフ状態にさせたい場合には、任意の１台の複合機に対して一括制御用番号と同じ８桁の番号をテンキーによって入力した後に、メインスイッチをオフする。そうすると、メインスイッチがオフされた複合機は、他の全ての複合機に対してメインスイッチオフコマンドを送信した後、自己の複合機をシャットオフ状態にさせる。他の複合機は、メインスイッチオフコマンドを受信すると、自己の複合機をシャットオフ状態にさせる。
【００２１】
なお、任意の複合機に対して一括制御用番号と同じ８桁の番号を入力せずに電源キーをオフした場合には、従来と同様に、その複合機のみがスリープ状態となる。同様に、任意の複合機に対して一括制御用番号と同じ８桁の番号を入力せずにメインスイッチをオフした場合には、従来と同様に、その複合機のみがシャットオフ状態となる。
【００２２】
図３は、複合機による一括スリープおよび一括シャットオフ制御処理手順を示している。
【００２３】
ここでは、８桁の一括制御用番号を”ＡＢＣＤＥＦＧＨ”とする。Ａは最上位桁の数字を表し、Ｈは最下位桁の数字を表している。一括制御用番号の各桁の番号をｎｕｍ〔ｎ〕で表すことにする。ｎは桁を表し、ｎ＝０は最上位桁を、ｎ＝７は最下位桁を表している。したがって、ｎｕｍ〔０〕＝Ａ，ｎｕｍ〔１〕＝Ｂ，ｎｕｍ〔２〕＝Ｃ，ｎｕｍ〔３〕＝Ｄ，ｎｕｍ〔４〕＝Ｅ，ｎｕｍ〔５〕＝Ｆ，ｎｕｍ〔６〕＝Ｇ，ｎｕｍ〔７〕＝Ｈとなる。
【００２４】
電源が入れられると桁数を表す変数ｎが０に設定される（ステップＳ１）。そして、キー入力待ちとなる（ステップＳ２）。キー入力があると（ステップＳ２でＹＥＳ）、テンキー入力であるか否かを判別する（ステップＳ３）。テンキー入力でない場合には、ステップＳ１に戻る。テンキー入力である場合には、入力された数字（１桁分の数字）がｎｕｍ〔ｎ〕と一致するか否かを判別する（ステップＳ４）。一致しなかった場合には、ステップＳ１に戻る。一致した場合には、ｎ＝７か否かを判別する（ステップＳ５）。ｎ＝７でなければ、ｎをだけインクリメント（ｎ＝ｎ＋１）した後（ステップＳ６）、ステップＳ２に戻る。
【００２５】
ステップＳ５でｎ＝７となった場合には、一括制御用番号と同じ番号が入力されたと判別して、ステップＳ７に移行する。
【００２６】
ステップＳ７では、電源キーがオフされたか否かを判別する。電源キーがオフされなかった場合には、メインスイッチがオフされたか否かを判別する（ステップＳ８）。メインスイッチがオフされなかった場合には、上記ステップＳ５において、一括制御用番号と同じ番号が入力されたと判別した時点から、所定時間が経過したか否かを判別する（ステップＳ９）。所定時間が経過していなければステップＳ７に戻る。
【００２７】
つまり、ステップＳ７、Ｓ８、Ｓ９のループが繰り返される。ステップＳ７、Ｓ８、Ｓ９のループが繰り返されている場合において、電源キーがオフされた場合には、ステップＳ７でＹＥＳとなるので、電源キーオフコマンドを他の複合機に送信した後（ステップＳ１０）、自己の複合機をスリープ状態にさせる（ステップＳ１１）。そして、ステップＳ１に戻る。
【００２８】
ステップＳ７、Ｓ８、Ｓ９のループが繰り返されている場合において、メインスイッチがオフされた場合には、ステップＳ８でＹＥＳとなるので、メインスイッチオフコマンドを他の複合機に送信した後（ステップＳ１２）、自己の複合機をシャットオフ状態にさせる（ステップＳ１３）。ステップＳ１に戻る。
【００２９】
ステップＳ７、Ｓ８、Ｓ９のループが繰り返されている場合において、上記ステップＳ５において一括制御用番号と同じ番号が入力されたと判別した時点から、所定時間が経過した場合には、ステップＳ９でＹＥＳとなるので、ステップＳ１に戻る。
【００３０】
なお、各複合機は、他の複合機から電源キーオフコマンドを受信した場合には、自己の複合機をスリープ状態にさせる。また、各複合機は、他の複合機からメインスイッチオフコマンドを受信した場合には、自己の複合機をシャットオフ状態にさせる。
【実施例２】
【００３１】
上記各複合機１〜５が、電源キーを備えておらず、メインスイッチのみを備えているタイプの複合機である場合について説明する。各複合機１〜５のうち、ＦＡＸ機能を備えていない複合機では、メインスイッチがオフされた場合には、シャットオフ状態となる。各複合機１〜５のうち、ＦＡＸ機能を備えている複合機では、メインスイッチがオフされた場合には、ＦＡＸ機能についてはスリープ状態となり他の機能についてはシャットオフ状態となる。
【００３２】
図４は、複合機による一括スリープおよび一括シャットオフ制御処理手順を示している。
【００３３】
電源が入れられると桁数を表す変数ｎが０に設定される（ステップＳ２１）。そして、キー入力待ちとなる（ステップＳ２２）。キー入力があると（ステップＳ２２でＹＥＳ）、テンキー入力であるか否かを判別する（ステップＳ２３）。テンキー入力でない場合には、ステップＳ２１に戻る。テンキー入力である場合には、入力された数字（１桁分の数字）がｎｕｍ〔ｎ〕と一致するか否かを判別する（ステップＳ２４）。一致しなかった場合には、ステップＳ２１に戻る。一致した場合には、ｎ＝７か否かを判別する（ステップＳ２５）。ｎ＝７でなければ、ｎをだけインクリメント（ｎ＝ｎ＋１）した後（ステップＳ２６）、ステップＳ２２に戻る。
【００３４】
ステップＳ２５でｎ＝７となった場合には、一括制御用番号と同じ番号が入力されたと判別して、ステップＳ２７に移行する。
【００３５】
ステップＳ２７では、メインスイッチがオフされたか否かを判別する。メインスイッチがオフされなかった場合には、上記ステップＳ２４において一括制御用番号と同じ番号が入力されたと判別した時点から、所定時間が経過したか否かを判別する（ステップＳ２８）。所定時間が経過していなければステップＳ２７に戻る。
【００３６】
つまり、ステップＳ２７、Ｓ２８のループが繰り返される。ステップＳ２７、Ｓ２８のループが繰り返されている場合において、メインスイッチがオフされた場合には、ステップＳ２７でＹＥＳとなるので、メインスイッチオフコマンドを他の複合機に送信した後（ステップＳ２９）、自己の複合機をメインスイッチオフに対応した状態にさせる（ステップＳ３０）。つまり、自己の複合機がＦＡＸ機能を備えていない場合にはシャットオフ状態にさせ、自己の複合機がＦＡＸ機能を備えている場合にはＦＡＸ機能についてはスリープ状態にさせ、他の機能についてはシャットオフ状態にさせる。そして、ステップＳ２１に戻る。
【００３７】
ステップＳ２７、Ｓ２８のループが繰り返されている場合において、上記ステップＳ２５において一括制御用番号と同じ番号が入力されたと判別した時点から、所定時間が経過した場合には、ステップＳ２８でＹＥＳとなるので、ステップＳ２１に戻る。
【００３８】
なお、各複合機は、他の複合機からメインスイッチオフコマンドを受信した場合には、自己の複合機をメイスイッチオフに対応した状態にさせる。つまり、自己の複合機がＦＡＸ機能を備えていない場合にはシャットオフ状態にさせ、自己の複合機がＦＡＸ機能を備えている場合にはＦＡＸ機能についてはスリープ状態にさせ、他の機能についてはシャットオフ状態にさせる。
【図面の簡単な説明】
【００３９】
【図１】社内に設けられた複合機のネットワークシステムの構成を示すブロック図である。
【図２】複合機の操作部を示す模式図である。
【図３】第１実施例における一括スリープおよび一括シャットオフ制御処理手順を示すフローチャートである。
【図４】第２実施例における一括スリープおよび一括シャットオフ制御処理手順を示すフローチャートである。
【符号の説明】
【００４０】
１〜５  複合機
１０  ネットワーク
【図１】
2006345396.tif 000003
【図２】
2006345396.tif 000004
【図３】
2006345396.tif 000005
【図４】
2006345396.tif 000006